(57)【要約】【課題】毛細管現象を利用して水を土壌中に浸透させ、土壌を常に湿潤状態に保ち、長期にわたり水遣りをする必要がなく、手間とコストを省くことができる、植物給水装置を提供すること。【解決手段】少なくとも１つが給水端３に連結された複数の導水管２と、植物の根部近くの土壌中に設置され、複数の導水管２を介して相互に直列に連結された複数の多孔体１とを含み、給水端３から供給される水が複数の導水管２を介して各多孔体１に導引され、多孔体１が水を土壌中に伝達する。【選択図】図１
0003177959.tif 000002
【実用新案登録請求の範囲】
【請求項１】
少なくとも１つが給水端に連結された複数の導水管と、
植物の根部近くの土壌中に設置され、前記複数の導水管を介して相互に直列に連結された複数の多孔体と、
を含み、前記給水端から供給される水が前記複数の導水管を介して前記各多孔体に導引され、前記多孔体が水を土壌中に伝達することを特徴とする、植物給水装置。
【請求項２】
前記多孔体が中空の多孔質の管体であり、その内部に流路が形成されたことを特徴とする、請求項１に記載の植物給水装置。
【請求項３】
土壌を入れて植物を栽培するための受入ユニットを少なくとも１つ含み、前記受入ユニット内に少なくとも１つの多孔体が設置されることを特徴とする、請求項１に記載の植物給水装置。
【請求項４】
前記受入ユニットが植木鉢または花壇であることを特徴とする、請求項３に記載の植物給水装置。
【請求項５】
前記受入ユニットが断面略Ｃ字形の槽状管であることを特徴とする、請求項３に記載の植物給水装置。
【請求項６】
前記受入ユニットの底部に、軸方向に沿って２条の位置規制部が設けられ、前記多孔体が軸方向に沿って前記２つの位置規制部の間に設置されることを特徴とする、請求項５に記載の植物給水装置。
【請求項７】
前記受入ユニットの外面に軸方向に沿って溝状の固定部が設けられ、前記固定部内に支持部材が軸方向に沿って摺動可能に係合され、前記支持部材に少なくとも１つの固定部材を挿通して、前記支持部材が前記固定部材を介して壁面上に固定されることを特徴とする、請求項３に記載の植物給水装置。
【請求項８】
前記受入ユニットの外面を囲むように複数の固定バンドが設置され、前記固定バンドが少なくとも１つの固定部材を利用して壁面上に固定されることを特徴とする、請求項３に記載の植物給水装置。
【請求項９】
前記給水端が水圧を有する水源であることを特徴とする、請求項１に記載の植物給水装置。
【請求項１０】
前記給水端が貯水容器であることを特徴とする、請求項１に記載の植物給水装置。
【請求項１１】
前記給水端と前記導水管の間に制御弁が設置されることを特徴とする、請求項１に記載の植物給水装置。
【請求項１２】
前記導水管または（及び）前記多孔体を連結するマルチジョイントを備えたことを特徴とする、請求項１に記載の植物給水装置。
【考案の詳細な説明】
【技術分野】
【０００１】
本考案は、導水管で複数の多孔体を直列に連結し、多孔体の毛細管現象を利用して、植物に必要な水分を持続的に浸透させて供給でき、長期間水遣りを不要とする植物給水装置に関する。
【背景技術】
【０００２】
環境美化のため、家の外壁上に植物栽培装置を設置することがある。多くは、植木鉢を並べて植物の栽培を行なうが、植木鉢を使用すると毎日水遣りを行う必要があり、植木鉢の容水量は比較的小さいため、余分な水分が容易に溢れ出し、水が滴る箇所に苔が生えて美観に影響する。
このような事態を防ぐために、様々な植物栽培用の装置が提案されている。
【０００３】
例えば、特許文献１に記載された緑化植栽壁は、少なくとも１つの壁面を備え、前記壁面上に少なくとも１つの嵌入座体が設けられた壁体と、前記壁体の上縁に設置された貯水槽と、前記壁体の嵌入座体に設置された少なくとも１つの盆体と、前記壁体内に設置された少なくとも１つの管体を含み、前記貯水槽が側面にウィンドウを備え、底部に少なくとも１つの出水孔が設けられ、前記盆体が多孔隙内殼を包み込み被覆した外殼を備え、前記外殼から前記多孔隙内殼までの間に密閉された貯水空間が形成され、前記外殼上に前記貯水空間まで貫通された連通孔が設けられ、前記管体が前記貯水槽の出水孔と前記盆体の連通孔を連接している。
しかしながら、この緑化植栽壁は、植木鉢を設置することができるのみであり、栽培植物の範囲が限られ、定期的に水遣りを行う必要があり、非常に手間がかかる。
【０００４】
また、特許文献２には、少なくとも１つの植栽空間を含む本体と、前記本体に組み込まれ、貯水空間を含む少なくとも１つの貯水ユニットと、前記本体の植栽空間に組み込まれ、且つ流路が貯水ユニットの貯水空間に連結された少なくとも１つの多孔質の管体路を含む多孔隙給水管体を備えた花壇が記載されている。
この花壇によれば、多孔質の管体路の吸収と浸透作用を利用して、土壌を湿潤状態に保ち、植物に安定的な給水を便利に行うことができるが、このような構造は、栽培範囲を広くすることはできず、狭いベランダ上での使用に適用できるのみであり、景観造りの効果は低い。
【先行技術文献】
【特許文献】
【０００５】
【特許文献１】台湾実用新案第Ｍ３９４３４０号明細書
【特許文献２】台湾実用新案第Ｍ４０２６７８号明細書
【考案の概要】
【考案が解決しようとする課題】
【０００６】
本考案が解決しようとする課題は、毛細管現象を利用して水を土壌中に浸透させ、土壌を常に湿潤状態に保ち、長期にわたり水遣りをする必要がなく、手間とコストを省くことができる、植物給水装置を提供することにある。
【課題を解決するための手段】
【０００７】
本考案の植物給水装置は、少なくとも１つが給水端に連結された複数の導水管と、植物の根部近くの土壌中に設置され、前記複数の導水管を介して相互に直列に連結された複数の多孔体と、を含み、前記複数の導水管を介して前記給水端が供給する水が前記各多孔体に導引され、前記多孔体が水を土壌中に伝達する。
【０００８】
前記多孔体を中空の多孔質の管体とし、その内部に流路を形成するとよい。
土壌を入れて植物を栽培するための受入ユニットを少なくとも１つ含み、前記受入ユニット内に少なくとも１つの多孔体を設置することがある。
前記受入ユニットは植木鉢または花壇とすることができる。
或いは、前記受入ユニットは断面略Ｃ字形の槽状管とすることもできる。
この場合、前記受入ユニットの底部に、軸方向に沿って２条の位置規制部を設け、前記多孔体を軸方向に沿って前記２つの位置規制部の間に設置してもよい。
【０００９】
また、前記受入ユニットの外面に軸方向に沿って溝状の固定部を設け、前記固定部内に支持部材を軸方向に沿って摺動可能に係合し、前記支持部材に少なくとも１つの固定部材を挿通し、この定部材を介して前記支持部材を壁面上に固定してもよい。
或いは、前記受入ユニットの外面を囲むように複数の固定バンドを設置し、少なくとも１つの固定部材を利用して前記固定バンドを壁面上に固定してもよい。
前記給水端は水圧を有する水源とすることがある。
前記給水端は貯水容器とすることもある。
前記給水端と前記導水管の間に制御弁を設置するとよい。
前記導水管または（及び）前記多孔体を連結するマルチジョイントを備えることもある。
【考案の効果】
【００１０】
本考案の植物給水装置は次のような効果を発揮することができる。
１.導水管を多孔体と自由に直列に連結し、給水ルートを多様に変化させることができる。
２.多孔体の毛細管作用によりゆっくりと水または栄養液を放出し、水または栄養液を完全に灌漑に用いることができ、植物にとって水または栄養液の供給が多すぎたり少なすぎたりする欠点がない。
３.多孔体の毛細管作用により給水を行い、栽培植物の土壌を常時適切な湿潤状態に保ち、植物の成長を助け、長期的に手間のかかる水遣りを回避することができる。
４.栽培する植物の種類により、外壁面上に設置すれば、大面積の植栽壁を形成し、緑化と美観の効果を生み出すことができる。
５.定量の給水を行なうことができ、水遣りが過多で溢れ出し、水が滴り落ちて歩行者を濡らしたり、土壌が流されて流失したり、湿り気が多すぎて苔が生えたりする欠点がない。
６.水資源の消耗を効果的に節約し、大幅に用水量を減少でき、且つ製造コストが安いため、コストを削減することができる。
７.給水端の給水が充足してさえいれば、長時間給水ルート内の各植物に対して給水を行うことができ、管理が非常に便利で、大面積の植栽の管理と世話のコストを効果的に減少することができる。
【図面の簡単な説明】
【００１１】
【図１】本考案の実施例を示す植物給水装置の分解斜視図である。
【図２】本考案の実施例に係る多孔体及び導水管の断面図である。
【図３】本考案の実施例を示す植物給水装置の設置状態における側面図である。
【図４】本考案の実施例を示す植物給水装置の軸方向に沿う断面図である。
【図５】本考案の実施例を示す植物給水装置の軸方向に交差する断面図である。
【図６】本考案の実施例に係る多孔体及び導水管の他の配置例を示す平面図である。
【考案を実施するための形態】
【００１２】
以下、本考案の実施例を図面に基づいて詳細に説明する。
図１〜図４は、本考案の実施例１を示す。
本考案の植物給水装置は、図１に示すように、複数の多孔体１、複数の導水管２、給水端３及び受入ユニット４を含む。
多孔体１は、多孔質材料を素材とする中空の管体より成り、その内部に流路１１が形成される。
【００１３】
導水管２は、各多孔体１の間に直列に連結され（図２参照）、導水管２の二端がそれぞれシーラントＤまたは接着剤で密封されて各多孔体１の流路１１に接合される。
給水端３は、貯水箱、水タンクの貯水容器、家庭の水道水の蛇口など水圧を備えた水源であり、導水管２に連結される。
給水端３と導水管２の間には制御弁３１が設置される。制御弁３１は手動式または電子式とすることができ、適時に手動によりまたは自動的に給水経路を導通または閉鎖することができる。
【００１４】
受入ユニット４は、断面略Ｃ字形の槽状管であって、多孔体１及び導水管２がその中に設置される。なお、本実施例では、受入ユニット４は、断面略Ｃ字形の槽状管であるが、植木鉢、花壇等であってもよい。
受入ユニット４の内部には収容槽４１が形成され、受入ユニット４の周壁には収容槽４１に通じる開口４２が設けられ、受入ユニット４の底部には軸方向に沿って２条の相対する位置規制部４３が設けられる。
また、受入ユニット４の後部外面には、軸方向に沿って溝状の固定部４４が設けられ、固定部４４内に支持部材４５が摺動可能に係合される。支持部材４５は少なくとも１つの固定部材４６で貫通することができ、固定部材４６を利用して支持部材４５を建築物の外壁面上に固定し、受入ユニット４を外壁面上に固定することができる。
【００１５】
受入ユニット４を固定するために、受入ユニット４の外縁を囲むように設置される複数の固定バンド４７を採用することもできる。固定バンド４７は固定部材４６を利用して建築物の外壁面上に固定され、これにより、受入ユニット４を外壁面上に固定することができる。
なお、受入ユニット４を外壁面上に固定するにはさまざまな既知の方法があり、前記二種類の方法に限定されない。
【００１６】
植物給水装置を設置する時は、図３及び図４に示すように、まず支持部材４５に複数の固定部材４６を穿設して支持部材４５を建物等の建築物の外壁Ａの壁面上に固定し（図５参照）、複数の導水管２を介して多孔体１を１つずつ直列に連結してから、多孔体１を受入ユニット４の２条の相対する位置規制部４３の間にそれぞれ軸方向に沿って設置して位置決めし、任意に移動しないようにする。各受入ユニット４内には少なくとも１つの多孔体１が設置される。
かつ、各受入ユニット４の間に導水管２を配置し、シーラントＤ、接着剤またはプラグで多孔体１と導水管２の接合箇所を密封して（図２参照）漏水を防止する。
【００１７】
最前端に位置する導水管２は、建物の高所にある給水端３に連結され、給水端３からの水を導引する。導水管２の最末端に位置する多孔体１は密封され、漏水が防止される。
さらに、受入ユニット４の固定部４４が支持部材４５に係合され、かつ受入ユニット４の外縁を囲むように複数の固定バンド４７が設置され、固定バンド４７が固定部材４６で外壁Ａの壁面上に固定され、これにより受入ユニット４が外壁Ａの壁面上に固定される。
最後に受入ユニット４の収容槽４１内に充填材Ｂを入れる。充填材Ｂは栽培土または土壌とすることができ、充填材Ｂ内に植物Ｃを植えて、植物Ｃの根部を多孔体１に接近させる。
【００１８】
給水する時は、手動または自動で制御弁３１を制御して開き、高所の給水端３が発生する水圧を利用し、導水管２を通じて水を各多孔体１の流路１１内に伝達して流動させ、多孔体１の毛細管作用を利用し、導水管２からの水分を伝達して水分をゆっくりと充填材Ｂに浸透させ、充填材Ｂ付近の植物Ｃの根部に長時間ゆっくりと水分を吸収させることができる。多孔体１の毛細管作用により給水を行うことで、充填材Ｂを常に湿潤状態に保つことができ、これは植物Ｃの成長に有益である。
【００１９】
また、手動または自動で制御弁３１を開く大きさを制御し、水の供給量を制御できるため、長期にわたり手動で水遣りをする必要がなくなる。さらに、雨季は制御弁３１を閉じて、効果的に節水することもできる。植物Ｃは受入ユニット４の開口４２から外側に向かって成長し、外壁Ａ全体を覆うように広がって、植栽壁を形成することができ、建物の緑化、放熱及び美観を促進することができる。
なお、制御弁３１を常時開いていても、多孔体１は毛細管作用でゆっくりと微量の給水を行うため、水分が大量に充填材Ｂに伝達されて、水源の無駄となることはない。
【００２０】
例えば庭や農場等の開放式の植栽場所で、植物が本実施例のような受入ユニット４内に植えられず、直接地表の土壌内に植えられる場合でも、本考案の植物給水装置を適用することができる。
開放式の植栽場所では、多孔体１を各植物根部付近の土壌内にそれぞれ設置して、各多孔体１を導水管２により直列に連結し、給水端３からの水を充分に各植物に供給することができる。
図６に示すように、マルチジョイント５で導水管２または（及び）多孔体１を連結することで、水の流れる方向を分散し、給水端３の水平高さを導水管２及び多孔体１より高くすることにより、水そのものの重力作用を利用して、水を平均的に各多孔体１に輸送し、大面積に給水することができる。
【００２１】
以上の説明は本考案の数々の実施例の一つに基づくものであり、これを以って本考案の権利範囲を限定することはできず、本考案の実用新案登録請求の範囲及び明細書の内容に基づいた同等の効果を有する簡単な変化や交換は、いずれも本考案の権利範囲内に含まれる。
【符号の説明】
【００２２】
１      多孔体
１１    流路
２      導水管      
３      給水端
３１    制御弁      
４      受入ユニット
４１    収容槽        
４２    開口
４３    位置規制部      
４４    固定部
４５    支持部材    
４６    固定部材
４７    固定バンド        
５      マルチジョイント
Ａ      外壁        
Ｂ      充填材
Ｃ      植物        
Ｄ      シーラント
【図１】
0003177959.tif 000003
【図２】
0003177959.tif 000004
【図３】
0003177959.tif 000005
【図４】
0003177959.tif 000006
【図５】
0003177959.tif 000007
【図６】
0003177959.tif 000008